(57)【特許請求の範囲】
【請求項１】
傾斜地の前面に石積みブロックを積み上げた石積壁の補強構造において、
前記石積みブロックの前方に設置され伸縮性を有する伸縮部材と、
前記伸縮部材を前記傾斜地に定着させる定着部材と、
を備え、
前記伸縮部材は、帯状シートからなり、
縦方向にわたって設置される第１伸縮シートと、
横方向にわたって設置される第２伸縮シートと、
を有し、
前記第１伸縮シートと前記第２伸縮シートとは、それぞれ前記石積みブロックの一部を覆うように交差して設置される
ことを特徴とする石積壁補強構造。
【請求項２】
前記定着部材は、
前記伸縮部材の上方を定着させる第１定着部材と、
前記伸縮部材の下方を定着させる第２定着部材と、
を有する
ことを特徴とする請求項１に記載の石積壁補強構造。
【請求項３】
前記第１定着部材は、前記傾斜地の上部傾斜部分で前記伸縮部材を定着させ、
前記第２定着部材は、前記傾斜地の下部傾斜部分で前記伸縮部材を定着させる
ことを特徴とする請求項１又は請求項２に記載の石積壁補強構造。
【請求項４】
前記伸縮部材を貫通した状態で前記石積みブロックに打ち込まれる打込ピンを有する
ことを特徴とする請求項１乃至請求項３のいずれか１つに記載の石積壁補強構造。
【請求項５】
前記打込ピンは、前記傾斜地の上部の前記石積みブロックよりも前記傾斜地の下部の前記石積みブロックに多く打ち込まれる
ことを特徴とする請求項１乃至請求項４のいずれか１つに記載の石積壁補強構造。
【請求項６】
傾斜地の前面に石積みブロックを積み上げた石積壁の補強方法において、
帯状シートからなり、
縦方向にわたって設置される第１伸縮シートと、
横方向にわたって設置される第２伸縮シートと、
を有する伸縮部材に対して、
前記第１伸縮シートと前記第２伸縮シートを、それぞれ前記石積みブロックの一部を覆うように交差して前記石積みブロックの前方に設置する工程と、
前記伸縮部材を前記傾斜地に定着部材によって定着させる工程と、
を有する
ことを特徴とする石積壁補強方法。
【請求項７】
前記伸縮部材を前記傾斜地に定着部材によって定着させる工程は、
第１定着部材によって前記伸縮部材の上方を定着させる工程と、
第２定着部材によって前記伸縮部材の下方を定着させる工程と、
含む
ことを特徴とする請求項６に記載の石積壁補強方法。
【請求項８】
前記伸縮部材を貫通した状態で打込ピンを前記石積みブロックに打ち込む工程を有することを特徴とする請求項６又は請求項７に記載の石積壁補強方法。
【発明の詳細な説明】
【技術分野】
【０００１】
本発明は、既設の石積壁に対する石積壁補強構造及び石積壁補強方法に関する。
【背景技術】
【０００２】
従来、図１８に示すように、傾斜地Ｌの前面に石積みブロック１０１を積み上げた石積壁１００において、上部に延設される上部コンクリート盤１０２と、脚部に延設される脚部コンクリート盤１０３と、上下端がコンクリート盤１０２，１０３に固定される抑え板１０４と、上部コンクリート盤１０２に傾斜地Ｌに到達するまで垂設された複数の控え杭１０５と、抑え板１０４を控え杭１０５に固定するアンカー１０６と、脚部コンクリート盤１０３に傾斜地Ｌに到達するまで垂設された複数の基礎杭１０７と、抑え板１０４で固定される金網又はジオグリッドからなる網材１０８と、を備える石積壁１００の補強構造が開示されている（特許文献１参照）。
【先行技術文献】
【特許文献】
【０００３】
【特許文献１】特許第４１９０３６０号公報
【発明の概要】
【発明が解決しようとする課題】
【０００４】
しかしながら、特許文献１に記載の石積壁１００に対する補強構造では、例えば、線路脇に施工する場合、夜間に線路を閉鎖して施工しなければならず、単位時間あたりの施工可能面積が小さいため、コスト高になってしまう。
【０００５】
また、石積壁１００に対する補強構造では、抑え板１０４及び網材１０８の剛性によって石積壁１００を補強しているので、地震が発生して抑え板１０４及び網材１０８の剛性を超える負荷が生じた場合には、図１９に示すように、積み上げた石積みブロック１０１が傾斜地Ｌの前方に拡がりながら崩れてしまう。例えば、線路脇に石積壁１００が施工されている場合には、長時間の復旧作業が必要となってしまう。
【０００６】
本発明の目的は、このような問題点を解決するためになされたものであり、施工が簡単で、単位時間あたりの施工可能面積も大きく、低コストでありながら、石積みブロックが崩れた時でも傾斜地の前方への拡がりを低減することが可能な石積壁補強構造及び石積壁補強方法を提供することである。
【課題を解決するための手段】
【０００７】
本発明の一実施形態にかかる石積壁補強構造は、傾斜地の前面に石積みブロックを積み上げた石積壁の補強構造において、前記石積みブロックの前方に設置され伸縮性を有する伸縮部材と、前記伸縮部材を前記傾斜地に定着させる定着部材と、を備え、前記伸縮部材は、帯状シートからなり、縦方向にわたって設置される第１伸縮シートと、横方向にわたって設置される第２伸縮シートと、を有し、前記第１伸縮シートと前記第２伸縮シートとは、それぞれ前記石積みブロックの一部を覆うように交差して設置されることを特徴とする。
【０００８】
また、前記定着部材は、前記伸縮部材の上方を定着させる第１定着部材と、前記伸縮部材の下方を定着させる第２定着部材と、を有することを特徴とする。
【０００９】
また、前記第１定着部材は、前記傾斜地の上部傾斜部分で前記伸縮部材を定着させ、前記第２定着部材は、前記傾斜地の下部傾斜部分で前記伸縮部材を定着させることを特徴とする。
【００１０】
また、前記伸縮部材を貫通した状態で前記石積みブロックに打ち込まれる打込ピンを有することを特徴とする。
【００１１】
また、前記打込ピンは、前記傾斜地の上部の前記石積みブロックよりも前記傾斜地の下部の前記石積みブロックに多く打ち込まれることを特徴とする。
【００１４】
さらに、本発明にかかる石積壁補強方法は、傾斜地の前面に石積みブロックを積み上げ
た石積壁の補強方法において、帯状シートからなり、縦方向にわたって設置される第１伸縮シートと、横方向にわたって設置される第２伸縮シートと、を有する伸縮部材に対して、前記第１伸縮シートと前記第２伸縮シートを、それぞれ前記石積みブロックの一部を覆うように交差して前記石積みブロックの前方に設置する工程と、前記伸縮部材を前記傾斜地に定着部材によって定着させる工程と、を有することを特徴とする。
【００１５】
また、前記伸縮部材を前記傾斜地に定着部材によって定着させる工程は、第１定着部材によって前記伸縮部材の上方を定着させる工程と、第２定着部材によって前記伸縮部材の下方を定着させる工程と、含むことを特徴とする。
【００１６】
また、前記伸縮部材を貫通した状態で打込ピンを前記石積みブロックに打ち込む工程を有することを特徴とする。
【発明の効果】
【００１７】
本発明にかかる石積壁補強構造によると、傾斜地の前面に石積みブロックを積み上げた石積壁の補強構造において、前記石積みブロックの前方に設置され伸縮性を有する伸縮部材と、前記伸縮部材を前記傾斜地に定着させる定着部材と、を備え、前記伸縮部材は、帯状シートからなり、縦方向にわたって設置される第１伸縮シートと、横方向にわたって設置される第２伸縮シートと、を有し、前記第１伸縮シートと前記第２伸縮シートとは、それぞれ前記石積みブロックの一部を覆うように交差して設置されるので、施工が簡単で、単位時間あたりの施工可能面積も大きく、低コストでありながら、石積みブロックが崩れた時でも傾斜地の前方への拡がりを低減することが可能となる。また、石積みブロックが崩れた場合により強固に抑えることが可能となる。
【００１８】
また、前記定着部材は、前記伸縮部材の上方を定着させる第１定着部材と、前記伸縮部材の下方を定着させる第２定着部材と、を有するので、伸縮部材を強固に定着させることが可能となる。
【００１９】
また、前記第１定着部材は、前記傾斜地の上部傾斜部分で前記伸縮部材を定着させ、前記第２定着部材は、前記傾斜地の下部傾斜部分で前記伸縮部材を定着させるので、第１定着部材及び第２定着部材を傾斜地に設置することとなり、傾斜地の上方及び下方の設置面積が必要なくなる。
【００２０】
また、前記伸縮部材を貫通した状態で前記石積みブロックに打ち込まれる打込ピンを有するので、より簡易に伸縮部材を設置することが可能となる。
【００２１】
また、前記打込ピンは、前記傾斜地の上部の前記石積みブロックよりも前記傾斜地の下部の前記石積みブロックに多く打ち込まれるので、伸縮部材が簡易且つ強固に設置される。
【００２３】
また、前記伸縮部材は、帯状シートからなり、縦方向にわたって設置される第１伸縮シートと、横方向にわたって設置される第２伸縮シートと、を有し、前記第１伸縮シートと第２伸縮シートとは、それぞれ前記石積みブロックの一部を覆うように交差して設置されるので、石積みブロックが崩れた場合により強固に抑えることが可能となる。
【図面の簡単な説明】
【００２４】
【図１】第１実施形態の石積壁補強構造の断面図である。
【図２】第１実施形態の石積壁補強構造の正面図である。
【図３】第１実施形態の石積みブロックが崩れた状態を示す図である。
【図４】第２実施形態の石積壁補強構造の断面図である。
【図５】第２実施形態の石積壁補強構造の正面図である。
【図６】第３実施形態の石積壁補強構造の断面図である。
【図７】第３実施形態の石積壁補強構造の正面図である。
【図８】第４実施形態の石積壁補強構造の断面図である。
【図９】第４実施形態の石積壁補強構造の正面図である。
【図１０】第５実施形態の石積壁補強構造の断面図である。
【図１１】第５実施形態の石積壁補強構造の正面図である。
【図１２】第５実施形態の他の例の石積壁補強構造の正面図である。
【図１３】第６実施形態の石積壁補強構造の断面図である。
【図１４】第６実施形態の石積壁補強構造の正面図である。
【図１５】第６実施形態の他の例の石積壁補強構造の正面図である。
【図１６】第７実施形態の石積壁補強構造の断面図である。
【図１７】第７実施形態の石積壁補強構造の斜視図である。
【図１８】従来の技術を示す図である。
【図１９】従来の技術を示す図である。
【発明を実施するための形態】
【００２５】
本実施形態の石積壁補強構造について、以下説明する。
【００２６】
図１は、第１実施形態の石積壁補強構造の断面図である。また、図２は、第１実施形態の石積壁補強構造の正面図である。さらに、図３は、第１実施形態の石積みブロックが崩れた状態を示す図である。
【００２７】
第１実施形態の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上方地Ｌａに定着させる第１定着部材４と、伸縮部材３を傾斜地Ｌの下方地Ｌｂに定着させる第２定着部材５と、頭部を伸縮部材３の前面に残し、伸縮部材３を貫通した状態で石積みブロック２ａに打ち込まれる打込ピン６と、を有する。
【００２８】
伸縮部材３は、帯状のメッシュからなり、一例としてポリプロピレン等の伸縮性のある樹脂材料を用いることが好ましい。伸縮部材３は、上方を第１定着部材４、下方を第２定着部材５によって定着され、上下方向にわたって設置される第１伸縮シート３ａと、打込ピン６によって定着され、左右方向にわたって設置される第２伸縮シート３ｂと、を有する。
【００２９】
したがって、図２に示すように、正面から見ると、第１伸縮シート３ａは縦方向に延び、第２伸縮シート３ｂは横方向に延びて、それぞれ石積みブロック２ａの一部を覆うように交差して設置される。なお、第１実施形態では、第１伸縮シート３ａの上に一部が重なるように第２伸縮シート３ｂを設置しているが、第２伸縮シート３ｂの上に一部が重なるように第１伸縮シート３ａを設置してもよい。
【００３０】
このように、伸縮部材３を帯状シートから形成し、縦方向にわたって設置される第１伸縮シート３ａと、横方向にわたって設置される第２伸縮シート３ｂと、を有し、第１伸縮シート３ａと第２伸縮シート３ｂとをそれぞれ石積みブロック２ａの一部を覆うように交差して設置するので、石積みブロック２ａが崩れた場合により強固に抑えることが可能となる。
【００３１】
第１定着部材４は、上部に第１ねじ部４ａ1を有する第１定着杭４ａと、第１定着杭４ａを図示しない孔に貫通させた状態で支持する鉄等からなる第１板部材４ｂと、第１定着杭４ａの第１ねじ部４ａ1に螺合する第１ナット４ｃと、を有する。
【００３２】
第２定着部材５は、上部に第２ねじ部５ａ1を有する第２定着杭５ａと、第２定着杭５ａを図示しない孔に貫通させた状態で支持する鉄等からなる第２板部材５ｂと、第２定着杭５ａの第２ねじ部５ａ1に螺合する第２ナット５ｃと、を有する。
【００３３】
打込ピン６は、第１定着杭４ａ及び第２定着杭５ａよりも軽量で短小な杭であって、より簡易に打ち込むことができるものである。上部は、釘や画鋲のようにフランジ状に形成することが好ましい。なお、打込ピン６は、１つの石積みブロック２ａに少なくとも１つ打ち込むことが好ましい。
【００３４】
第１実施形態の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上方地Ｌａに定着させる工程と、第２定着部材５によって伸縮部材３を傾斜地Ｌの下方地Ｌｂに定着させる工程と、頭部を伸縮部材３の前面に残し、伸縮部材３を貫通した状態で石積みブロック２ａに打込ピン６を打ち込む工程と、を有する。
【００３５】
具体的には、伸縮部材３を設置する工程は、第１伸縮シート３ａを第１定着部材４及び第２定着部材５によって定着する工程と、第２伸縮シート３ｂを打込ピン６によって石積みブロック２ａに定着する工程と、を有する。第１伸縮シート３ａは、第２伸縮シート３ｂよりも先に設置することが好ましいが、第２伸縮シート３ｂを第１伸縮シート３ａよりも先に設置してもよい。
【００３６】
また、第１定着部材４を設置する工程は、第１板部材４ｂを傾斜地Ｌの上方地Ｌａに設置する工程と、第１定着杭４ａを第１板部材４ｂ及び第１伸縮シート３ａに貫通させ傾斜地Ｌに差し込む工程と、第１定着杭４ａの第１ねじ部４ａ1に第１ナット４ｃを螺合する工程と、を有する。
【００３７】
また、第２定着部材５を設置する工程は、第２板部材５ｂを傾斜地Ｌの下方地Ｌｂに設置する工程と、第２定着杭５ａを第２板部材５ｂに貫通させ傾斜地Ｌに差し込む工程と、第２定着杭５ａの第２ねじ部５ａ1に第２ナット５ｃを螺合する工程と、を有する。
【００３８】
このように、第１実施形態の石積壁補強構造１を用いることで、施工が簡単で、単位時間あたりの施工可能面積も大きく、低コストでの施工が可能となる。また、図３に示すように、石積みブロック２ａが崩れたとしても、伸縮部材３と石積みブロック２ａとが離れることなく、伸縮部材３によって石積みブロック２ａの落下を抑えることができ、傾斜地の前方への拡がりを低減することが可能となる。
【００３９】
なお、第１実施形態の伸縮部材３は、１枚のシートで形成してもよい。
【００４０】
図４は、第２実施形態の石積壁補強構造の断面図である。また、図５は、第２実施形態の石積壁補強構造の正面図である。
【００４１】
第２実施形態の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上方地Ｌａに定着させる第１定着部材４と、伸縮部材３を傾斜地Ｌの下方地Ｌｂに定着させる第２定着部材５と、を有する。
【００４２】
伸縮部材３は、１枚のシート状のメッシュからなり、一例としてポリプロピレン等の伸縮性のある樹脂材料を用いることが好ましい。伸縮部材３は、上方を複数の第１定着部材４、下方を複数の第２定着部材５によって定着される。したがって、図５に示すように、正面から見ると、伸縮部材３は、石積みブロック２ａを覆うように設置される。
【００４３】
伸縮部材３を１枚のシート状のメッシュによって形成するので、より簡単に設置することが可能となる。
【００４４】
第１定着部材４及び第２定着部材５は、第１実施形態と同様である。
【００４５】
第１実施形態の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上方地Ｌａに定着させる工程と、第２定着部材５によって伸縮部材３を傾斜地Ｌの下方地Ｌｂに定着させる工程と、を有する。
【００４６】
また、第１定着部材４及び第２定着部材５を設置する工程は、第１実施形態と同様である。
【００４７】
このように、第１実施形態の石積壁補強構造１を用いることで、施工がさらに簡単で、単位時間あたりの施工可能面積も大きく、低コストでの施工が可能となる。また、図３に示した第１実施形態と同様に、石積みブロック２ａが崩れたとしても、伸縮部材３が石積みブロック２ａの落下を抑えることができ、傾斜地の前方への拡がりを低減することが可能となる。
【００４８】
なお、第１定着杭４ａ及び第２定着杭５ａよりも軽量で短小な杭であって、頭部を伸縮部材３の前面に残し、伸縮部材３を貫通した状態で石積みブロック２ａに打ち込まれる打込ピン６を用いてもよい。
【００４９】
図６は、第３実施形態の石積壁補強構造の断面図である。また、図７は、第３実施形態の石積壁補強構造の正面図である。
【００５０】
第３実施形態の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上方地Ｌａに定着させる第１定着部材４と、頭部を伸縮部材３の前面に残し、伸縮部材３を貫通した状態で石積みブロック２ａに打ち込まれる打込ピン６と、を有する。
【００５１】
伸縮部材３は、帯状のメッシュからなり、一例としてポリプロピレン等の伸縮性のある樹脂材料を用いることが好ましい。伸縮部材３は、上方を第１定着部材４、下方を打込ピン６によって定着され、上下方向にわたって設置される第１伸縮シート３ａと、打込ピン６によって定着され、左右方向にわたって設置される第２伸縮シート３ｂと、を有する。したがって、図７に示すように、正面から見ると、第１伸縮シート３ａは縦方向に延び、第２伸縮シート３ｂは横方向に延びて、それぞれ石積みブロック２ａの一部を覆うように交差して設置される。なお、第１実施形態では、第１伸縮シート３ａの上に一部が重なるように第２伸縮シート３ｂを設置しているが、第２伸縮シート３ｂの上に一部が重なるように第１伸縮シート３ａを設置してもよい。
【００５２】
第１定着部材４は、上部に第１ねじ部４ａ1を有する第１定着杭４ａと、第１定着杭４ａを図示しない孔に貫通させた状態で支持する鉄等からなる第１板部材４ｂと、第１定着杭４ａの第１ねじ部４ａ1に螺合する第１ナット４ｃと、を有する。
【００５３】
打込ピン６は、第１定着杭４ａ及び第２定着杭５ａよりも軽量で短小な杭であって、より簡易に打ち込むことができるものである。上部は、釘や画鋲のようにフランジ状に形成することが好ましい。なお、打込ピン６は、１つの石積みブロック２ａに少なくとも１つ打ち込むことが好ましい。また、打込ピン６は、側方及び下方の石積みブロック２ａに多く打ち込む構成とすることが好ましい。特に、最側方及び最下方の石積みブロック２ａに最も多く打ち込む構成とすることが好ましい。
【００５４】
このように、打込ピン６を側方や下方の石積みブロック２ａに多く打ち込む構成とすることで、伸縮部材３としての第１伸縮シート３ａ及び第２伸縮シート３ｂが強固に設置される。
【００５５】
第３実施形態の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上方地Ｌａに定着させる工程と、頭部を伸縮部材３の前面に残し、伸縮部材３を貫通した状態で石積みブロック２ａに打込ピン６を打ち込む工程と、を有する。
【００５６】
具体的には、伸縮部材３を設置する工程は、第１伸縮シート３ａを第１定着部材４によって定着する工程と、第２伸縮シート３ｂを打込ピン６によって石積みブロック２ａに定着する工程と、を有する。なお、第１伸縮シート３ａは、第２伸縮シート３ｂよりも先に設置することが好ましいが、第２伸縮シート３ｂを第１伸縮シート３ａよりも先に設置してもよい。
【００５７】
また、第１定着部材４を設置する工程は、第１実施形態と同様である。
【００５８】
このように、第３実施形態の石積壁補強構造１を用いることで、下方の石積みブロック２ａに多くの打込ピン６を打ち込む構成とするので、第２定着部材５を設置する必要がなく、傾斜地Ｌの前下方の設置面積を小さくすることが可能となり、さらに施工が簡単で、単位時間あたりの施工可能面積も大きく、低コストでの施工が可能となる。また、図３に示した第１実施形態と同様に、石積壁補強構造１が崩れたとしても、伸縮部材３が石積みブロック２ａの落下を抑えることができ、傾斜地の前方への拡がりを低減することが可能となる。
【００５９】
なお、第３実施形態の伸縮部材３は、１枚のシートで形成してもよい。
【００６０】
図８は、第４実施形態の石積壁補強構造の断面図である。また、図９は、第４実施形態の石積壁補強構造の正面図である。
【００６１】
第４実施形態の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上方地Ｌａに定着させる第１定着部材４と、伸縮部材３を傾斜地Ｌの下方地Ｌｂに定着させる第２定着部材５と、頭部を伸縮部材３の前面に残し、伸縮部材３を貫通した状態で隣接する石積みブロック２ａの隙間に打ち込まれる打込杭７と、を有する。
【００６２】
伸縮部材３、第１定着部材４、及び第２定着部材５は、第１実施形態と同様に設置される。
【００６３】
打込杭７は、第１定着杭４ａ及び第２定着杭５ａよりも軽量で短小な杭であって、より簡易に石積みブロック２ａの隙間に打ち込むことができるものである。上部は、釘や画鋲のようにフランジ状に形成することが好ましい。
【００６４】
第４実施形態の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上方地Ｌａに定着させる工程と、第２定着部材５によって伸縮部材３を傾斜地Ｌの下方地Ｌｂに定着させる工程と、頭部を伸縮部材３の前面に残し、伸縮部材３を貫通した状態で石積みブロック２ａに打込杭７を打ち込む工程と、を有する。
【００６５】
具体的には、伸縮部材３を設置する工程は、第１伸縮シート３ａを第１定着部材４及び第２定着部材５によって定着する工程と、第２伸縮シート３ｂを打込杭７によって石積みブロック２ａに定着する工程と、を有する。第１伸縮シート３ａは、第２伸縮シート３ｂよりも先に設置することが好ましいが、第２伸縮シート３ｂを第１伸縮シート３ａよりも先に設置してもよい。
【００６６】
また、第１定着部材４及び第２定着部材５を設置する工程は、第１実施形態と同様である。
【００６７】
このように、第４実施形態の石積壁補強構造１を用いることで、施工が簡単で、単位時間あたりの施工可能面積も大きく、低コストでの施工が可能となる。また、図３に示した第１実施形態と同様に、石積みブロック２ａが崩れたとしても、伸縮部材３が石積みブロック２ａの落下を抑えることができ、傾斜地の前方への拡がりを低減することが可能となる。
【００６８】
図１０は、第５実施形態の石積壁補強構造の断面図である。また、図１１は、第５実施形態の石積壁補強構造の正面図である。さらに、図１２は、第５実施形態の他の例の石積壁補強構造の正面図である。
【００６９】
第５実施形態の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上部傾斜部分に定着させる第１定着部材４と、伸縮部材３を傾斜地Ｌの下部傾斜部分に定着させる第２定着部材５と、を有する。
【００７０】
伸縮部材３は、１枚のシート状のメッシュからなり、一例としてポリプロピレン等の伸縮性のある樹脂材料を用いることが好ましい。伸縮部材３は、上方を複数の第１定着部材４、下方を複数の第２定着部材５によって定着される。したがって、図１１に示すように、正面から見ると、伸縮部材３は、石積みブロック２ａを覆うように設置される。
【００７１】
第１定着部材４は、上部に第１ねじ部４ａ1を有する第１定着杭４ａと、第１定着杭４ａを図示しない孔に貫通させた状態で支持する鉄等からなる第１板部材４ｂと、第１定着杭４ａの第１ねじ部４ａ1に螺合する第１ナット４ｃと、を有する。
【００７２】
第２定着部材５は、上部に第２ねじ部５ａ1を有する第２定着杭５ａと、第２定着杭５ａを図示しない孔に貫通させた状態で支持する鉄等からなる第２板部材５ｂと、第２定着杭５ａの第２ねじ部５ａ1に螺合する第２ナット５ｃと、を有する。
【００７３】
第５実施形態の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上部傾斜部分に定着させる工程と、第２定着部材５によって伸縮部材３を傾斜地Ｌの下部傾斜部分に定着させる工程と、を有する。
【００７４】
具体的には、伸縮部材３を設置する工程は、伸縮部材３を第１定着部材４及び第２定着部材５によって定着する工程を有する。
【００７５】
また、第１定着部材４を設置する工程は、第１板部材４ｂを傾斜地Ｌの上部に設置する工程と、第１定着杭４ａを第１板部材４ｂ及び伸縮部材３に貫通させ傾斜地Ｌの石積みブロック２ａに差し込む工程と、第１定着杭４ａの第１ねじ部４ａ1に第１ナット４ｃを螺合する工程と、を有する。
【００７６】
また、第２定着部材５を設置する工程は、第２板部材５ｂを傾斜地Ｌの下部に設置する工程と、第２定着杭５ａを第２板部材５ｂ及び伸縮部材３に貫通させ傾斜地Ｌの下部の石積みブロック２ａに差し込む工程と、第２定着杭５ａの第２ねじ部５ａ1に第２ナット５ｃを螺合する工程と、を有する。
【００７７】
このように、第５実施形態の石積壁補強構造１を用いることで、第１定着部材４及び第２定着部材５を傾斜地Ｌに設置することとなり、傾斜地Ｌの上方及び下方の設置面積が必要なくなる。したがって、施工が簡単で、単位時間あたりの施工可能面積も大きく、低コストでの施工が可能となる。また、図３に示した第１実施形態と同様に、石積みブロック２ａが崩れたとしても、伸縮部材３が石積みブロック２ａの落下を抑えることができ、傾斜地の前方への拡がりを低減することが可能となる。
【００７８】
なお、第５実施形態の伸縮部材３は、図１２に示す他の例のように、帯状のシートで形成してもよい。この場合、伸縮部材３は、帯状のメッシュからなり、一例としてポリプロピレン等の伸縮性のある樹脂材料を用いることが好ましい。また、伸縮部材３は、上方を第１定着部材４、下方を第２定着部材５によって石積みブロック２ａの上部及び下部にそれぞれ定着され、上下方向にわたって設置される第１伸縮シート３ａと、左右方向にわたって設置される第２伸縮シート３ｂと、を有する。したがって、図１２に示すように、正面から見ると、第１伸縮シート３ａは縦方向に延び、第２伸縮シート３ｂは横方向に延びて、それぞれ石積みブロック２ａの一部を覆うように交差して設置される。なお、伸縮部材３は、第１伸縮シート３ａの上に一部が重なるように第２伸縮シート３ｂを設置してよいし、第２伸縮シート３ｂの上に一部が重なるように第１伸縮シート３ａを設置してもよい。
【００７９】
図１３は、第６実施形態の石積壁補強構造の断面図である。また、図１４は、第６実施形態の石積壁補強構造の正面図である。さらに、図１５は、第６実施形態の他の例の石積壁補強構造の正面図である。
【００８０】
第６実施形態の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上部傾斜部分に定着させる第１定着部材４と、頭部を伸縮部材３の前面に残し、伸縮部材３を貫通した状態で石積みブロック２ａに打ち込まれる打込ピン６と、を有する。
【００８１】
伸縮部材３は、１枚のシート状のメッシュからなり、一例としてポリプロピレン等の伸縮性のある樹脂材料を用いることが好ましい。伸縮部材３は、上方を第１定着部材４、下方を打込ピン６によって定着される。したがって、図１４に示すように、正面から見ると、伸縮部材３は、石積みブロック２ａを覆うように設置される。
【００８２】
第１定着部材４は、上部に第１ねじ部４ａ1を有する第１定着杭４ａと、第１定着杭４ａを図示しない孔に貫通させた状態で支持する鉄等からなる第１板部材４ｂと、第１定着杭４ａの第１ねじ部４ａ1に螺合する第１ナット４ｃと、を有する。
【００８３】
打込ピン６は、第１定着杭４ａよりも軽量で短小な杭であって、より簡易に打ち込むことができるものである。上部は、釘や画鋲のようにフランジ状に形成することが好ましい。なお、打込ピン６は、１つの石積みブロック２ａに少なくとも１つ打ち込むことが好ましい。また、打込ピン６は、側方及び下方の石積みブロック２ａに多く打ち込む構成とすることが好ましい。特に、最側方及び最下方の石積みブロック２ａに最も多く打ち込む構成とすることが好ましい。
【００８４】
このように、打込ピン６を側方及び下方の石積みブロック２ａに多く打ち込む構成とすることで、伸縮部材３としての第１伸縮シート３ａ及び第２伸縮シート３ｂが強固に設置される。
【００８５】
第６実施形態の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上部傾斜部分に定着させる工程と、頭部を伸縮部材３の前面に残し、伸縮部材３を貫通した状態で石積みブロック２ａに打込ピン６を打ち込む工程と、を有する。
【００８６】
また、第１定着部材４を設置する工程は、第５実施形態と同様である。
【００８７】
このように、第６実施形態の石積壁補強構造１を用いることで、下方の石積みブロック２ａに多くの打込ピン６を打ち込む構成とするので、第２定着部材５を設置する必要がなく、傾斜地Ｌの前下方の設置面積を小さくすることが可能となり、さらに施工が簡単で、単位時間あたりの施工可能面積も大きく、低コストでの施工が可能となる。また、図３に示した第１実施形態と同様に、石積壁補強構造１が崩れたとしても、伸縮部材３が石積みブロック２ａの落下を抑えることができ、傾斜地の前方への拡がりを低減することが可能となる。
【００８８】
なお、図１５に示す他の例のように、伸縮部材３は、帯状のメッシュから形成してもよい。伸縮部材３は、一例としてポリプロピレン等の伸縮性のある樹脂材料を用いることが好ましい。また、伸縮部材３は、上方を第１定着部材４、下方を打込ピン６によって定着され、上下方向にわたって設置される第１伸縮シート３ａと、打込ピン６によって定着され、左右方向にわたって設置される第２伸縮シート３ｂと、を有する。したがって、図１５に示すように、正面から見ると、第１伸縮シート３ａは縦方向に延び、第２伸縮シート３ｂは横方向に延びて、それぞれ石積みブロック２ａの一部を覆うように交差して設置される。なお、第１伸縮シート３ａの上に一部が重なるように第２伸縮シート３ｂを設置してもよいし、第２伸縮シート３ｂの上に一部が重なるように第１伸縮シート３ａを設置してもよい。
【００８９】
伸縮部材３を設置する工程は、第１伸縮シート３ａを第１定着部材４によって定着する工程と、第２伸縮シート３ｂを打込ピン６によって石積みブロック２ａに定着する工程と、を有する。なお、第１伸縮シート３ａは、第２伸縮シート３ｂよりも先に設置することが好ましいが、第２伸縮シート３ｂを第１伸縮シート３ａよりも先に設置してもよい。
【００９０】
図１６は、参考例の石積壁補強構造の断面図である。また、図１７は、参考例の石積壁補強構造の斜視図である。
【００９１】
参考例の石積壁補強構造１は、傾斜地Ｌの前面に石積みブロック２ａを積み上げた石積壁２において、石積みブロック２ａの前方に設置され伸縮性を有する伸縮部材３と、伸縮部材３を傾斜地Ｌの上方地Ｌａに定着させる第１定着部材４と、伸縮部材３を傾斜地Ｌの下方地Ｌｂに定着させる第２定着部材５と、を有する。
【００９２】
伸縮部材３は、紐状、テープ状又はバンド状の部材からなり、一例としてポリプロピレン等の伸縮性のある樹脂材料を用いることが好ましい。伸縮部材３は、上方を第１定着部材４、下方を第２定着部材５によって定着され、上下右上がりに傾斜した方向に設置される第１伸縮紐１３ａと、上方を第１定着部材４、下方を第２定着部材５によって定着され、上下左上がりに傾斜した方向に設置される第２伸縮紐１３ｂと、を有する。したがって、図１７に示すように、正面斜め上から見ると、第１伸縮紐１３ａと第２伸縮紐１３ｂとは、それぞれ石積みブロック２ａの上を交差して設置される。
【００９３】
また、第１伸縮紐１３ａ及び第２伸縮紐１３ｂの端部は、それぞれ第１定着リング１３ｃ及び第２定着リング１３ｄを有することが好ましい。第１定着リング１３ｃは、第１定着部材４に引っかけられ、第２定着リング１３ｄは、第２定着部材５に引っかけられる。
【００９４】
なお、第１伸縮紐１３ａと第２伸縮紐１３ｂとは、石積みブロック２ａの角度に沿ってそれぞれ設置されることが好ましい。特に、石積みブロック２ａの斜めの１列に少なくとも１本の第１伸縮紐１３ａ及び第２伸縮紐１３ｂが対応するように設置されることが好ましい。
【００９５】
参考例の石積壁補強構造１のように補強するための石積壁補強方法は、傾斜地Ｌの前面に石積みブロック２ａを積み上げた石積壁２において、伸縮性を有する伸縮部材３を石積みブロック２ａの前方に設置する工程と、第１定着部材４によって伸縮部材３を傾斜地Ｌの上方地Ｌａに定着させる工程と、第２定着部材５によって伸縮部材３を傾斜地Ｌの下方地Ｌｂに定着させる工程と、を有する。
【００９６】
具体的には、伸縮部材３を設置する工程は、第１伸縮紐１３ａの第１定着リング１３ｃを第１定着部材４に引っかけ、第１伸縮紐１３ａの第２定着リング１３ｄを第２定着部材５に引っかける工程と、第２伸縮紐１３ｂの第１定着リング１３ｃを第１定着部材４に引っかけ、第２伸縮紐１３ｂの第２定着リング１３ｄを第２定着部材５に引っかける工程と、を有する。第１伸縮紐１３ａ及び第２伸縮紐１３ｂは、どちらを先に設置してもよい。
【００９７】
このように、参考例の石積壁補強構造１を用いることで、施工がさらに簡単で、単位時間あたりの施工可能面積も大きく、低コストでの施工が可能となる。また、図３に示すように、第１実施形態と同様に、石積みブロック２ａが崩れたとしても、伸縮部材３が石積みブロック２ａの落下を抑えることができ、傾斜地の前方への拡がりを低減することが可能となる。
【００９８】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００９９】
１…石積壁補強構造
２…石積みブロック
３…伸縮部材
４…第１定着部材
５…第２定着部材
６…打込ピン
７…打込杭
【図１】
0005885341.tif 000002
【図２】
0005885341.tif 000003
【図３】
0005885341.tif 000004
【図４】
0005885341.tif 000005
【図５】
0005885341.tif 000006
【図６】
0005885341.tif 000007
【図７】
0005885341.tif 000008
【図８】
0005885341.tif 000009
【図９】
0005885341.tif 000010
【図１０】
0005885341.tif 000011
【図１１】
0005885341.tif 000012
【図１２】
0005885341.tif 000013
【図１３】
0005885341.tif 000014
【図１４】
0005885341.tif 000015
【図１５】
0005885341.tif 000016
【図１６】
0005885341.tif 000017
【図１７】
0005885341.tif 000018
【図１８】
0005885341.tif 000019
【図１９】
0005885341.tif 000020